【事件の表示】
　特願２００２−２４７４８４「ガスタービン発電装置」拒絶査定不服審判事件〔平成１６年　３月１８日出願公開、特開２００４−　８４５７５〕について、次のとおり審決する。
【結　論】
　本件審判の請求は、成り立たない。
【理　由】
第１　手続の経緯
　
　本件出願は、平成１４年８月２７日の出願であって、平成１８年１１月２２日付けで拒絶理由が通知され、これに対して平成１９年１月１６日付けで意見書及び手続補正書が提出されたが、平成１９年３月１６日付けで拒絶査定がなされ、これに対して平成１９年４月２６日に拒絶査定に対する審判請求がなされ、平成１９年５月２１日付けで明細書について手続補正がなされると共に同日付けで審判請求書の請求の理由についての手続補正がなされ、その後、平成２１年２月１２日付けで書面による審尋がなされ、これに対して平成２１年４月１０日付けで回答書が提出されたものである。
　
　
第２　平成１９年５月２１日付けの手続補正についての補正却下の決定
　
［補正却下の決定の結論］
　平成１９年５月２１日付けの手続補正を却下する。
　
［理由］
［１］補正の内容
　平成１９年５月２１日付けの明細書についての手続補正（以下、「本件補正」という。）は、特許請求の範囲に関して、本件補正により補正される前の（すなわち、平成１９年１月１６日付けの手続補正により補正された）下記の（ａ）に示す請求項１ないし７を下記の（ｂ）に示す請求項１ないし７と補正するものである。
　
（ａ）本件補正前の特許請求の範囲
　「【請求項１】　コンプレッサとタービンを同軸に配置した１軸型のガスタービン・エンジンと、前記エンジンの回転軸に接続される発電機と、少なくとも前記エンジンと発電機を収容する筐体とを備えたガスタービン発電装置において、前記筐体を略直方体に形成して少なくともその２つの面を開閉自在なメンテナンス用開閉面とすると共に、前記筐体の内部空間を重力方向において上部空間と下部空間の２つの空間に分割する隔壁を設け、前記エンジンを前記上部空間に配置すると共に、前記エンジンに導入される吸気を浄化するエアフィルタからなる吸気導入手段を前記下部空間において前記エンジンの直下に配置したことを特徴とするガスタービン発電装置。
　　【請求項２】　前記筐体のメンテナンス開閉面を、その上面と、前記エンジンの回転軸と平行である側面のうちの一方としたことを特徴とする請求項１項記載のガスタービン発電装置。
　　【請求項３】　前記エンジンから排出される燃焼ガスを前記筐体の外部に排出する燃焼ガス排出手段を備えると共に、前記燃焼ガス排出手段を、前記筐体の上部空間において、前記一方の面と前記エンジンを挟んで対向する側の面に近接させて配置したことを特徴とする請求項２項記載のガスタービン発電装置。
　　【請求項４】　前記発電機に電気的に接続される電装ユニットを備えると共に、前記電装ユニットを、前記筐体の下部空間において、前記吸気導入手段の下方に配置したことを特徴とする請求項１項から３項のいずれかに記載のガスタービン発電装置。
　　【請求項５】　前記電装ユニットを外気によって冷却する冷却手段を備えることを特徴とする請求項４項記載のガスタービン発電装置。
　　【請求項６】　前記エンジンに燃料を供給する燃料供給手段と、前記燃料供給手段を外気によって冷却する冷却手段とを備えると共に、前記燃料供給手段と冷却手段を、前記筐体の下部空間に配置したことを特徴とする請求項１項から５項のいずれかに記載のガスタービン発電装置。
　　【請求項７】　前記筐体の底面に、フォークリフトの爪部の挿入口をそれぞれ異なる方向に複数個穿設したことを特徴とする請求項１項から６項のいずれかに記載のガスタービン発電装置。」
　
（ｂ）本件補正後の特許請求の範囲
　「【請求項１】　コンプレッサとタービンを同軸に配置した１軸型のガスタービン・エンジンと、前記エンジンの回転軸に接続される発電機と、少なくとも前記エンジンと発電機を収容する筐体とを備えたガスタービン発電装置において、前記筐体を略直方体に形成して少なくともその２つの面を開閉自在なメンテナンス用開閉面とすると共に、前記筐体の内部空間を重力方向において上部空間と下部空間の２つの空間に分割する隔壁を設け、前記エンジンを前記上部空間に配置すると共に、前記エンジンに導入される吸気を浄化するエアフィルタからなる吸気導入手段を
前記上部空間を除く前記下部空間に配置すると共に、
　　【請求項２】　前記筐体のメンテナンス開閉面を、その上面と、前記エンジンの回転軸と平行である側面のうちの一方としたことを特徴とする請求項１項記載のガスタービン発電装置。
　　【請求項３】　前記エンジンから排出される燃焼ガスを前記筐体の外部に排出する燃焼ガス排出手段を備えると共に、前記燃焼ガス排出手段を、前記筐体の上部空間において、前記一方の面と前記エンジンを挟んで対向する側の面に近接させて配置したことを特徴とする請求項２項記載のガスタービン発電装置。
　　【請求項４】　前記発電機に電気的に接続される電装ユニットを備えると共に、前記電装ユニットを、前記筐体の下部空間において、前記吸気導入手段の下方に配置したことを特徴とする請求項１項から３項のいずれかに記載のガスタービン発電装置。
　　【請求項５】　前記電装ユニットを外気によって冷却する冷却手段を備えることを特徴とする請求項４項記載のガスタービン発電装置。
　　【請求項６】　前記エンジンに燃料を供給する燃料供給手段と、前記燃料供給手段を外気によって冷却する冷却手段とを備えると共に、前記燃料供給手段と冷却手段を、前記筐体の下部空間に配置したことを特徴とする請求項１項から５項のいずれかに記載のガスタービン発電装置。
　　【請求項７】　前記筐体の底面に、フォークリフトの爪部の挿入口をそれぞれ異なる方向に複数個穿設したことを特徴とする請求項１項から６項のいずれかに記載のガスタービン発電装置。」（なお、下線は補正箇所を示す。）
　
［２］本件補正の適否
　本件補正は、本件補正前の特許請求の範囲の請求項１に係る発明の発明特定事項である「吸気導入手段」の配置についてさらに「前記上部空間を除く前記下部空間に配置する」と限定するものであって、平成１８年法律第５５号改正附則第３条第１項によりなお従前の例によるとされる同法による改正前の特許法第１７条の２第４項第２号の規定する、特許請求の範囲の減縮を目的とするものに該当する。
 
　そこで、本件補正によって補正された特許請求の範囲の請求項１に係る発明（以下、「本件補正発明」という。）が特許出願の際に独立して特許を受けることができるものであるかについて、以下に検討する。
　
［３］独立特許要件の判断
１．刊行物に記載された発明
（１）刊行物１の記載事項
　原査定の拒絶の理由に引用された、本願の出願前に頒布された刊行物である特開２００２−４９４２号公報（平成１４年１月９日公開、以下、「刊行物１」という。）には、図面とともに、次の事項が記載されている。
　
ａ）「【特許請求の範囲】
【請求項１】  空気圧縮機と再生器と燃焼室とガスタービンと発電機とを一体化して成るガスタービン発電機ユニットと，前記ガスタービンからの排ガスを受け入れる排熱回収交換器と温水循環ポンプとから成る排熱回収ユニットと，前記発電機からの電力を受け入れるコンバータとインバータと保護継電器とトランスから成る電力機器ユニットと，制御盤を主体とする制御ユニットと，前記各ユニット相互の間を連結するガス配管と温水配管と電気配線と，空気ガイド体とガスタービン発電機ユニットを覆う消音ボックスと冷却ファンから成る冷却ユニットとをパッケージケーシング内に格納し、当該パッケージケーシングの内部を流通せしめた冷却用空気を消音ボックスを通して排出することにより、各機器を冷却すると共に騒音を低減する構成としたことを特徴とする小容量のガスタービンコージェネレーションパッケージ。
【請求項２】  パッケージケーシングを、２段型の支持枠体とこれに取外し自在に固定したケーシングプレートとから形成すると共に、前記支持枠体の上段側にガスタービン発電機ユニットを、また下段側に排熱回収ユニット及び電力機器ユニットを配設する構成とした請求項１に記載の小容量のガスタービンコージェネレーションパッケージ。」（【特許請求の範囲】の【請求項１】及び【請求項２】）
　
ｂ）「【００１３】
【発明の実施の形態】以下、図面に基づいて本発明の実施形態を説明する。図１は本発明に係る小容量のガスタービンコージェネレーションパッケージ（以下ＧＴＣＧＰと略称する）のシステム構成図であり、また、図２は本発明で使用するガスタービン発電機ユニットの一部を破断した正面図である。図１に於いて、１はガス圧縮機、２はガスフィルタ、３はガス管、４は空気フィルタ、５は圧縮機、６は燃焼室、７はガスタービン、８は発電機、９は再生器、１０は空気予熱管、１１はガスタービン排ガス管であり、前記圧縮機５、燃焼室６、ガスタービン７、発電機８、再生器９、及び空気予熱管１０等により、後述するガスタービン発電機ユニットＵが形成されている。」（段落【００１３】）
　
ｃ）「【００１５】尚、図１には示されていないが、上記参照番号１〜２４に係る部材は全てパッケージケーシングＰ内に格納されている。また、図１には示されていないが、パッケージケーシングＰ内に収納された各機器類は、後述するフィルタや空気ガイド体、消音ボックス、冷却ファン等により形成された冷却ユニットＩにより、低騒音でもって機能的に冷却される。」（段落【００１５】）
　
ｄ）「【００１７】また、図２は、本発明で使用するガスタービン発電機ユニットＵの概要説明図であり、圧縮機５・燃焼室６・タービン７・発電機８・再生器９・空気予熱管（通路）１０・排ガス管（通路）１１・空気ベアリング３５・発電機冷却フィン３６・再生器ケーシング３７及び排ガス口３８等を一体的に組み付けることにより、ガスタービン発電機ユニットＵが形成されている。」（段落【００１７】）
　
ｅ）「【００２３】尚、図１には示されていないが、前記ガスタービン発電機ユニットＵ、排熱回収ユニットＴ、電力機器ユニットＥ、冷却ユニットＩ及び制御ユニットＣ等は支持枠体Ｂ上に載置されており、ケーシングプレートＨによって覆われている。また、パッケージケーシングＰ内には、後述するように消音ボックス３９や冷却ファン４０、空気ガイド板４１等から成る冷却ユニットＩが設けられており、各機器類の空冷システムが形成されている。」（段落【００２３】）
　
ｆ）「【００２８】図３乃至図６は、本発明に係るＧＴＣＧＰの外形図を示すものであり、夫々パッケージケーシングＰの正面図、側面図、背面図及び平面図を示すものである。当該パッケージケーシングＰは、前記した各機器類を支持固定する四角状の支持枠体Ｂと、支持枠体Ｂに支持固定した各機器類と、支持枠体Ｂを覆うケーシングプレートＨとから形成されており、ケーシングＨは支持枠体Ｂへ着脱自在に取り付けられている。尚、図３乃至図６に於いて、４２は空気取入口、４３は排ガス出口、４４は燃料ガス入口、４５は低温水入口、４６は高温水出口、４７は排気筒、Ｇ0 は排ガスであり、パッケージケーシングＰを形成する鋼板に夫々設けられている。
【００２９】図７乃至図１０は、本実施例に係るＧＴＣＧＰのケーシングプレートＨを取り外した状態に於ける正面図、側面図、背面図及び平面図を示すものであり、また図１１は、図８のイーイ視図を示すものである。
【００３０】図７乃至図１１に於いて、Ｂは支持枠体、３９は消音ボックス、３９ｂは案内板（熱遮蔽板）、４０は冷却ファン、４１は空気流のガイド体、４８は空気フィルタ（通気用）、４９は機器類冷却用空気Ａｃの排出口である。前記支持枠体Ｂは、Ｃ形鋼製の長方形状のベース台Ｂ１と、これに立設した支柱Ｂ２ と、支柱Ｂ２ 間に架設した桟体Ｂ３ 等により四角状の枠体形状に形成されており、１階床面Ｆ１ と２階床面Ｆ２ とが設けられている。尚、図７乃至図１１ではケーシングプレートＨが取り外されているが、支持枠体Ｂとこれに取付けしたケーシングプレートＨによりパッケージケーシングＰが構成されている。」（段落【００２８】ないし【００３０】）
　
ｇ）「【００３１】前記支持枠体Ｂの１階床面Ｆ１上には、排熱回収熱交換器（温水ボイラ）１３と温水循環ポンプ１４等から成る排熱回収ユニットＴとトランス２３・コンバーター１９、インバーター２０・バッテリーコントローラ２１等の電力機器ユニットＥと、燃料ガスフィルター２、ガス圧縮機１等の各機器が配置されている。また２階床面Ｆ2 には小容量ガスタービン発電機ユニットＵ、空気フィルタ４、消音ボックス３９、冷却ファン４０、制御ユニットＣ等が設けられており、パッケージ前面の制御ユニットＣによりＧＴＣＧＰの駆動・制御及び運転監視が行なわれる。
【００３２】前記２階床面Ｆ2 上に設置された小容量ガスタービン発電機ユニットＵからの排ガスＧは、ユニットＵの下部の低温ガスタービン排ガス管１２を通して１階床Ｆ1 上に設置した排熱回収熱交換器１３へ直送される。
【００３３】燃焼用空気Ａ0 及び機器類の冷却用空気Ａｃは、図８に示すようにパッケージケーシングＰの前面下部に設けられた空気取入孔４２より入り、燃焼用空気Ａ0は、空気流ガイド体４１の屈曲部４１ａで消音され乍ら空気フィルタ４を通してガスタービン発電機ユニットＵの内部へ吸引され、発電機冷却フィン３６を通して空気圧縮機５の内部へ吸引される。また、ガスタービン発電機ユニットＵからの排ガスは、排ガス管１２を経て排熱回収熱交換器１３へ入り、熱回収されたあと、パッケージケーシングＰの後面の排ガス出口４３より大気に放出される。尚、必要に応じて排ガス出口４３側に排気筒４７や消音マフラー（図示せず）が設けられる。
【００３４】即ち、空気取入口４２より空気フィルタ４８を通して内部へ流入した外部空気は、パッケージケーシングＰ内に設けられたガイド体４１によって、トランス２３等を主体とする電力機器ユニットＥや排熱熱交換器１３を主体とする排熱回収ユニットＴ、制御盤１８を主体とする制御ユニットＣ等を冷却する冷却用空気流Ａｃと、ガスタービン発電機ユニットＵの消音ボックス３９内へ流入する燃焼用空気流Ａとに振り分けられる。そして、前者の冷却用空気流Ａｃは、前記各ユニットＥ、Ｔ、Ｃを形成する各機器類を冷却したあと、消音ボックス３９内へ吸引され、高温部であるガスタービン発電機ユニットＵを冷却した後、下流側の屈曲通路３９ａを通して冷却ファン４０により、パッケージケーシングＰの後面側の空気取出口４９より外部へ排出される。」（段落【００３１】ないし【００３４】）
　
ｈ）「【図面の簡単な説明】
【図１】本発明の実施態様に係るガスタービンコージェネレーションパッケージ（ＧＴＣＧＰ）のシステム構成図である。
【図２】本発明で使用するガスタービン発電機ユニットＵの説明図である。
【図３】本発明に係るＧＴＣＧＰの正面図である。
【図４】本発明に係るＧＴＣＧＰの側面図である。
【図５】本発明に係るＧＴＣＧＰの背面図である。
【図６】本発明に係るＧＴＣＧＰの平面（天井面）図である。
【図７】ＧＴＣＧＰのケーシングプレートを取外した状態における正面図である。
【図８】ＧＴＣＧＰのケーシングプレートを取外した状態における側面図である。
【図９】ＧＴＣＧＰのケーシングプレートを取外した状態における背面図である。
【図１０】ＧＴＣＧＰのケーシングプレートを取外した状態における平面図（天井面）である。・・・後略・・・」（【図面の簡単な説明】）
　
（２）ここで、上記（１）ａ）ないしｈ）の記載及び図面より、次のことが分かる。
　
イ）上記ａ）、ｂ）及びｄ）の記載並びに図２より、ガスタービン発電機ユニットは、圧縮機５とタービン７を同軸に配置した１軸型のガスタービン・エンジンと、その回転軸に接続される発電機８とを含んでいることが分かる。
　
ロ）上記ａ）、ｃ）、ｅ）、ｆ）及びｈ）の記載並びに図３ないし１０より、パッケージケーシングＰが略直方体に形成され、その正面、側面、背面、天井面がケーシングプレートＨにより開閉自在な開閉面であることが分かる。
　
ハ）上記ａ）、ｃ）、ｆ）及びｇ）の記載並びに図８より、パッケージケーシングＰの内部空間を２階床面Ｆ２により、重力方向において上部空間と下部空間の２つの空間に分割するようにし、圧縮機５とタービン７とからなるガスタービン・エンジンを前記上部空間に配置し、空気フィルタ４を前記上部空間に配置し、空気フィルタ４８を前記下部空間に配置していることが分かる。
　
ニ）上記ｇ）の記載及び図８より、空気フィルタ４と空気フィルタ４８は、圧縮機５とタービン７とからなるガスタービン・エンジンに導入される吸気を浄化する吸気導入手段であることが分かる。
　
（３）刊行物１に記載された発明 
　したがって、上記（１）及び（２）を総合すると、刊行物１には次の発明（以下、「刊行物１に記載された発明」という。）が記載されていると認められる。
　
＜刊行物１に記載された発明＞
　「圧縮機５とタービン７を同軸に配置した１軸型のガスタービン・エンジンと、前記エンジンの回転軸に接続される発電機８と、少なくとも前記エンジンと発電機８を収容するパッケージケーシングＰとを備えたガスタービンコージェネレーションパッケージにおいて、前記パッケージケーシングＰを略直方体に形成してその正面、側面、背面、天井面を開閉自在な開閉面とすると共に、前記パッケージケーシングＰの内部空間を重力方向において上部空間と下部空間の２つの空間に分割する２階床面Ｆ２を設け、前記エンジンを前記上部空間に配置すると共に、前記エンジンに導入される吸気を浄化する空気フィルタ４からなる吸気導入手段を前記上部空間に配置し、前記エンジンに導入される吸気を浄化する空気フィルタ４８からなる吸気導入手段を前記下部空間に配置したガスタービンコージェネレーションパッケージ。」
　
（４）刊行物２の記載事項
　原査定の拒絶の理由に引用された、本願の出願前に頒布された刊行物である特開平８−２７０４５８号公報（以下、「刊行物２」という。）には、図面とともに、次の事項が記載されている。
　
ａ）「【特許請求の範囲】
【請求項１】  複数の柱で支持された架台床上に据付けられ、かつ燃焼用空気流入口が下部側に設けられているガスタービン装置と、該ガスタービン装置の空気流入口に連通し、外部の空気をガスタービン装置へ導く吸気ダクトとを備え、前記吸気ダクトが、前記架台床の下方で、かつ柱間に伸びて配置されているガスタービン設備において、
前記吸気ダクトのガスタービン装置側への立ち上がり部分に、水平方向に流通してきた空気を上方へ曲送する斜面壁を設けたことを特徴とするガスタービン設備。」（【特許請求の範囲】の【請求項１】）
　
ｂ）「【０００１】
【産業上の利用分野】本発明はコンバインドサイクルプラントおよびガスタービン設備に係り、特に、ガスタービン装置の架台床下に外部の空気をガスタービン装置へ導く吸気ダクトとを備えているコンバインドサイクルプラントに関するものである。」（段落【０００１】）
　
ｃ）「【００１３】
【実施例】以下図示した実施例に基づいて本発明を詳細に説明する。図３にはそのガスタービン設備を備えたコンバインドサイクルプラントが示されている。コンバインドサイクルプラントは、燃焼器５およびガスタービン６を備えたガスタービン装置１と、このガスタービン装置１から排出される燃焼ガスを熱源として蒸気を発生させる排熱回収ボイラ２と、その排熱回収ボイラー２で発生した蒸気を駆動蒸気とする蒸気タービン装置３およびこれらタービンにより駆動される発電機７を備えている。
【００１４】ガスタービン装置１は、図１に拡大して示されているように導入空気を加圧する圧縮機４と、この圧縮機４によって加圧された加圧空気を燃料系統から供給された燃料と共に燃焼する燃焼器５と、燃焼により生じた燃焼ガスにより駆動されるガスタービン６とを有し、ガスタービンの負荷となる発電機７（図３）に結合されている。」（段落【００１３】及び【００１４】）
　
ｄ）「【００１７】これらの装置は、架台床上に設置されるわけであるが、ガスタービン装置１はコンクリート架台８により支持される。このコンクリート架台８のガスタービン下部は後で詳しく説明するが、図に１４として示されているように、掘込みによるスペースが設けられており、ガスタービンのメンテナンスがし易いように、すなわちメンテナンス性の向上とそれにコンクリート架台８の軽量化を図るように形成されている。
【００１８】ガスタービン６で燃焼するための空気を導く吸気ダクト９は、図２に示されているように、ガスタービンが据え付けられている架台の下側で、かつ架台の柱の間に敷設され、ガスタービン圧縮機とガスタービン圧縮機上流側に接続されている吸気室１０の下部に接続されている。」（段落【００１７】及び【００１８】）
　
（５）ここで、上記（４）ａ）ないしｄ）の記載及び図面より、次のことが分かる。
　
イ）上記ｃ）の記載及び図３より、ガスタービン装置１は、圧縮機４とガスタービン６を同軸に配置した１軸型であり、その回転軸に発電機７が接続され、ガスタービン装置１と発電機７とでガスタービン発電装置を構成していることが分かる。
　
ロ）上記ａ）、ｂ）及びｄ）の記載並びに図１及び３より、ガスタービン装置１への空気を導く吸気ダクト９が、架台床上を除く架台床下に配置されていると共に、前記架台床下において前記ガスタービン装置１の直下に配置されていることが分かる。
　
（６）刊行物２に記載された発明 
　したがって、上記（４）及び（５）を総合すると、刊行物２には次の発明（以下、「刊行物２に記載された発明」という。）が記載されていると認められる。
　
＜刊行物２に記載された発明＞
　「圧縮機４とガスタービン６を同軸に配置した１軸型のガスタービン装置１と、前記ガスタービン装置１の回転軸に接続される発電機７と、を備えたガスタービン発電装置において、前記ガスタービン装置１を架台床上に配置すると共に、前記ガスタービン装置１に空気を導入する吸気ダクト９を前記架台床上を除く架台床下に配置すると共に、前記架台床下において前記ガスタービン装置１の直下に配置したガスタービン発電装置。」
　
２．対比・判断
　本件補正発明と刊行物１に記載された発明とを対比すると、機能・構造からみて、刊行物１に記載された発明における「圧縮機５」は本件補正発明における「コンプレッサ」に相当する。また同様に、刊行物１に記載された発明における「タービン７」は本件補正発明における「タービン」に、「発電機８」は「発電機」に、「パッケージケーシングＰ」は「筐体」に、「ガスタービンコージェネレーションパッケージ」は「ガスタービン発電装置」に、「その正面、側面、背面、天井面を開閉自在な開閉面」は「少なくともその２つの面を開閉自在なメンテナンス用開閉面」に、「２階床面Ｆ２」は「隔壁」に、「空気フィルタ４８」は「エアフィルタ」にそれぞれ相当する。
　また、刊行物１に記載された発明における「前記エンジンに導入される吸気を浄化する空気フィルタ４８からなる吸気導入手段を前記下部空間に配置した」なる事項と、本件補正発明における「前記エンジンに導入される吸気を浄化するエアフィルタからなる吸気導入手段を前記上部空間を除く前記下部空間に配置すると共に、前記下部空間において前記エンジンの直下に配置した」なる事項とは、共に「前記エンジンに導入される吸気を浄化するエアフィルタからなる吸気導入手段を前記下部空間に配置した」なる事項である限りにおいて一致する。 
　してみると、本件補正発明と刊行物１に記載された発明とは、
　「コンプレッサとタービンを同軸に配置した１軸型のガスタービン・エンジンと、前記エンジンの回転軸に接続される発電機と、少なくとも前記エンジンと発電機を収容する筐体とを備えたガスタービン発電装置において、前記筐体を略直方体に形成して少なくともその２つの面を開閉自在なメンテナンス用開閉面とすると共に、前記筐体の内部空間を重力方向において上部空間と下部空間の２つの空間に分割する隔壁を設け、前記エンジンを前記上部空間に配置すると共に、前記エンジンに導入される吸気を浄化するエアフィルタからなる吸気導入手段を前記下部空間に配置したガスタービン発電装置。」の点で一致し、次の点で相違する。
　
＜相違点＞
　本件補正発明では、「エアフィルタからなる吸気導入手段」が、「前記上部空間を除く前記下部空間に配置」されると共に、「前記下部空間において前記エンジンの直下に配置」されるのに対して、刊行物１に記載された発明では、「空気フィルタ４８からなる吸気導入手段」が「下部空間に配置」されるものの、「空気フィルタ４８」とは別の「空気フィルタ４」からなる「吸気導入手段」が上部空間に配置され、しかも、「空気フィルタ４８からなる吸気導入手段」がガスタービン・エンジンの直下に配置されていない点（以下、「相違点」という。）。
　
　
　上記相違点について検討する。
　本件補正発明と刊行物２に記載された発明とを対比すると、機能・構造からみて、刊行物２に記載された発明における「圧縮機４」は本件補正発明における「コンプレッサ」に相当する。また同様に、刊行物２に記載された発明における「ガスタービン６」は本件補正発明における「タービン」に、「ガスタービン装置１」は「ガスタービン・エンジン」に、「発電機７」は「発電機」に、「吸気ダクト９」は「吸気導入手段」にそれぞれ相当する。
　また、刊行物２に記載された発明における「ガスタービン装置１を架台床上に配置する」なる事項と本件補正発明における「エンジンを前記上部空間に配置する」なる事項とは、共に「エンジンを基準位置の上方に配置する」なる事項である限りにおいて一致する。
　さらに、刊行物２に記載された発明における「ガスタービン装置１に空気を導入する吸気ダクト９を前記架台床上を除く架台床下に配置すると共に、前記架台床下において前記ガスタービン装置１の直下に配置した」なる事項と本件補正発明における「エンジンに導入される吸気を浄化するエアフィルタからなる吸気導入手段を前記上部空間を除く前記下部空間に配置すると共に、前記下部空間において前記エンジンの直下に配置した」なる事項とは、共に「エンジンに空気を導入する吸気導入手段を基準位置の上方を除く基準位置の下方に配置すると共に、前記基準位置の下方において前記エンジンの直下に配置した」なる事項である限りにおいて一致する。
　してみると、刊行物２に記載された発明は、本件補正発明の発明特定事項にあわせて表現すると、「コンプレッサとタービンを同軸に配置した１軸型のガスタービン・エンジンと、前記エンジンの回転軸に接続される発電機と、を備えたガスタービン発電装置において、前記エンジンを基準位置の上方に配置すると共に、前記エンジンに空気を導入する吸気導入手段を基準位置の上方を除く基準位置の下方に配置すると共に、前記基準位置の下方において前記エンジンの直下に配置したガスタービン発電装置。」であるといえる。
　そして、刊行物１に記載された発明と刊行物２に記載された発明とは、共に「コンプレッサとタービンを同軸に配置した１軸型のガスタービン・エンジンと、前記エンジンの回転軸に接続される発電機と、を備えたガスタービン発電装置」という同一の技術分野に属するものであるから、刊行物１に記載された発明に、刊行物２に記載された発明の「ガスタービン・エンジンに空気を導入する吸気導入手段を基準位置の上方を除く基準位置の下方に配置すると共に、前記基準位置の下方において前記エンジンの直下に配置した」構成を採用し、ガスタービン・エンジンに空気を導入する吸気導入手段を上部空間を除く下部空間に配置すると共に、前記下部空間において前記エンジンの直下に配置した構成とすることは当業者が容易に想到し得たことである。その際、上部空間を除く下部空間においてエンジンの直下に配置された吸気導入手段に、エアフィルタを設ける程度のことは、当該ガスタービン・エンジン技術分野においてエアフィルタを吸気導入手段に設けることが極めて一般的に行われていることを考慮して、当業者が適宜なし得る設計事項に過ぎない。
　　
　なお、ガスタービン・エンジンに導入される吸気を浄化するエアフィルタからなる吸気導入手段を基準位置の上方を除く基準位置の下方に配置すると共に、前記基準位置の下方において前記エンジンの直下に配置した構成は、特開平８−３１２３７５号公報にも記載されている。
　
　そして、本件補正発明を全体としてみても、刊行物１及び２に記載された発明から予測される以上の格別な効果を奏するものではない。
  したがって、本件補正発明は、刊行物１及び２に記載された発明に基いて当業者が容易に発明をすることができたものであるから、特許法第２９条第２項の規定により、特許出願の際に独立して特許を受けることができないものである。
　
３．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　よって、結論のとおり決定する。
　
　
第３　本件発明について
　
１．本件発明
　平成１９年５月２１日付けの明細書についての手続補正は上記のとおり却下されたので、本件出願の特許請求の範囲の請求項１ないし７に係る発明は、平成１９年１月１６日付けの手続補正により補正された明細書及び図面の記載からみて、その特許請求の範囲の請求項１ないし７に記載された事項により特定されるものと認められ、そのうち、請求項１に係る発明（以下、「本件発明」という。）は、前記第２［理由］［１］（ａ）に示した請求項１に記載されたとおりのものである。
　
２．刊行物
　原査定の拒絶の理由に引用された、本願の出願前に頒布された刊行物である刊行物１（特開２００２−４９４２号公報）には、前記第２［理由］［３］１．（１）ないし（３）のとおりのものが記載されている。
　また、原査定の拒絶の理由に引用された、本願の出願前に頒布された刊行物である刊行物２（特開平８−２７０４５８号公報）には、前記第２［理由］［３］１．（４）ないし（６）のとおりのものが記載されている。
　
３．対比・判断
　本件発明は、前記第２［理由］［３］で検討した本件補正発明から「前記上部空間を除く前記下部空間に配置する」なる発明特定事項を省いたものに相当する。
　そうすると、本件発明の発明特定事項を全て含む本件補正発明が、前記第２［理由］［３］に記載したとおり、刊行物１及び２に記載された発明に基いて当業者が容易に発明をすることができたものであるから、本件発明も、同様の理由により、刊行物１及び２に記載された発明に基いて当業者が容易に発明をすることができたものである。
　そして、本件発明を全体としてみても、刊行物１及び２に記載された発明から予測される以上の格別な効果を奏するものではない。
　
４．むすび
　以上のとおり、本件発明は、刊行物１及び２に記載された発明に基いて、当業者が容易に発明をすることができたものであるから、特許法第２９条第２項の規定により特許を受けることができない。
　
　よって、結論のとおり審決する。